(57)【要約】【課題】照射角度を広範囲に変更できる構成であるとともに、天井への取り付け時に天井に対して垂直方向となる全高を抑制できる薄型の照明器具を提供する。【解決手段】照明器具１０００は、天井に取り付けられる本体１０と、本体１０に取り付けられた回転体２０と、光源であるＬＥＤ３１を有するとともに回転体２０に取り付けられた灯体３０とを備える。本体１０と回転体２０とは、本体１０を第１層とし回転体２０を第２層とする層状であって第１層の本体１０が天井に取り付けられた場合に天井に対して略平行となる層状に組み付けられている。回転体２０は、回動軸８３を軸として本体１０に対して回動自在に取り付けられている。灯体３０は、自己の外縁に回転体２０に対して回動可能に接続する接続部４０し、回動により第２層である回転体２０に対して自己である灯体を第３層とする層状態を含め、接続部４０を回動軸として回動可能である。【選択図】図１
2008218188.tif 000002
【特許請求の範囲】
【請求項１】
天井に取り付けられる本体と、
前記本体に取り付けられた回転体と、
光源を有するとともに前記回転体に取り付けられた灯体と
を備え、
前記本体と前記回転体とは、
前記本体を第１層とし前記回転体を第２層とする層状であって第１層の前記本体が天井に取り付けられた場合に天井に対して略平行となる層状に組み付けられており、
前記回転体は、
第１層の略法線方向の直線であって第２層である自己を貫通する直線が回動軸となるように前記本体に対して回動自在に取り付けられており、
前記灯体は、
自己の外縁に前記回転体に対して回動可能に接続する接続部を有し、回動により第２層である前記回転体に対して自己である灯体を第３層とする層状態を含め、前記接続部を回動軸として回動可能であること特徴とする照明器具。
【請求項２】
前記灯体は、
前記接続部の形成する回動軸が前記回転体を貫く直線に対して略直角方向であることを特徴とする請求項１記載の照明器具。
【請求項３】
前記本体は、
天井面に配設されたダクトに電気的に接続するプラグを備えたことを特徴とする請求項１記載の照明器具。
【請求項４】
前記本体は、
少なくとも一部が天井に埋め込まれることにより天井に取り付けられることを特徴とする請求項１記載の照明器具。
【請求項５】
前記照明器具は、さらに、
前記回転体の回転と前記灯体との少なくともいずれかの回動を指示する回動指示信号を送信する送信機から回動指示信号を受信する回動指示信号受信部と、
前記回動指示信号受信部が受信した回動指示信号に従って前記回転体あるいは前記灯体を回動させる回動機構部と
を備えたことを特徴とする請求項１記載の照明器具。
【請求項６】
前記本体は、
天井面に配設されたダクトを収納するダクト収納溝が形成されているとともに、前記ダクトに電気的機械的に接続する操作部付きプラグであって前記操作部が自己である本体から突出する操作部付きプラグを備えたことを特徴とする請求項１記載の照明器具。
【請求項７】
前記本体は、さらに、
前記灯体の有する前記光源を点灯させる第１点灯回路と第２点灯回路とを備え、
前記第１点灯回路と前記第２点灯回路とは、
前記ダクト収納溝が前記ダクトを収納した場合に、ダクトの両側に位置するように配置されていることを特徴とする請求項６記載の照明器具。
【請求項８】
天井に取り付けられる本体と、
光源を有するとともに前記本体に取り付けられた灯体と
を備え、
前記灯体は、
自己の外縁に前記本体に対して回動可能に接続する接続部を有し、回動により前記本体を第１層として自己である灯体を第２層とする層状態を含め、前記接続部を回動軸として回動可能であること特徴とする照明器具。
【請求項９】
前記灯体の前記接続部は、
前記第１層である本体の略法線方向の第１回動軸と、この第１回動軸と略直交する第２回動軸とを有することを特徴とする請求項８記載の照明器具。
【発明の詳細な説明】
【技術分野】
【０００１】
この発明は、照明器具に関する。
【背景技術】
【０００２】
商品照明等を行うために、照射方向を任意に変更することができるユニバーサルダウンライトが従来から多用されている。ユニバーサルダウンライトに関しては、照射方向の変更範囲を拡げるために、灯体をケースから引き出し得るようにした引き出し型のユニバーサルダウンライトも開発されている（例えば特許文献１）。灯体をケースから引き出することが可能な従来のユニバーサルダウンライトの構造は、特許文献１の図に示されている。
【特許文献１】特開平１１−３３９５１２号公報
【発明の開示】
【発明が解決しようとする課題】
【０００３】
照射方向を自在に調整できる器具としては、天井直付器具、ダクト取付器具が一般的であるが、天井面をすっきり見せたい場合、引き出し形のユニバーサルダウンライトが好んで用いられる。従来の引き出し型ユニバーサルダウンライトでは、灯体をケースの下方へ完全に引き出すことができるため、照射角度が広範囲に変更される。しかし一方で、下方を照射する場合、灯体をケース内に完全に引き込む必要があるため、昇降ストロークが必要になり、その結果、ダウンライトの全高が大きくなるという課題がある。また、灯体を引き出したときに、ケースの下方に灯体の全体が完全に露出するため、灯体が目立つという意匠上の課題がある。
【０００４】
本発明は、照射角度を広範囲に変更できる構成であるとともに、全高を抑制できる薄型の照明器具を提供することを目的とする。
【課題を解決するための手段】
【０００５】
この発明の照明器具は、
天井に取り付けられる本体と、
前記本体に取り付けられた回転体と、
光源を有するとともに前記回転体に取り付けられた灯体と
を備え、
前記本体と前記回転体とは、
前記本体を第１層とし前記回転体を第２層とする層状であって第１層の前記本体が天井に取り付けられた場合に天井に対して略平行となる層状に組み付けられており、
前記回転体は、
第１層の略法線方向の直線であって第２層である自己を貫通する直線が回動軸となるように前記本体に対して回動自在に取り付けられており、
前記灯体は、
自己の外縁に前記回転体に対して回動可能に接続する接続部を有し、回動により第２層である前記回転体に対して自己である灯体を第３層とする層状態を含め、前記接続部を回動軸として回動可能であること特徴とする。
【発明の効果】
【０００６】
この発明により、照射角度を広範囲に変更できるとともに、従来の照明器具に対して全高の低い薄型の照明器具を提供することができる。
【発明を実施するための最良の形態】
【０００７】
実施の形態１．
図１〜図９を参照して実施の形態１を説明する。図１、図２は、実施の形態１の照明器具１０００の外観を示している。図１、図２を参照して、照明器具１０００の構成概要及び動作を説明する。なお、照明器具１０００の具体的な構成は、図６の説明で後述する。
【０００８】
図１（ａ）に示すように、照明器具１０００は、天井に取り付けられる本体１０と、本体１０に取り付けられた回転体２０と、光源であるＬＥＤ３１を有するとともに回転体２０に取り付けられた灯体３０とを備える。灯体３０は、図１（ａ）に示すように、光源として６つのＬＥＤ３１を備えている。本体１０にはダクト収納溝７１が形成されており、照明器具１０００は、ダクトを介して天井に取り付けられる。図１、図２ではダクトを省略している。
【０００９】
図１（ａ）に示すように、矢印Ａ方向が天井側であり、矢印Ｂ方向が室内側である。本体１０と回転体２０とは、図２（ａ）に示すように、本体１０を第１層とし回転体２０を第２層とする層状であって第１層の本体１０が天井に取り付けられた場合に天井に対して略平行となる層状に組み付けられている。そして、回転体２０は、図１（ａ）に示すように、第１層の略法線方向の直線であって第２層である自己（回転体２０）を貫通する直線が回動軸８３となるように本体１０に対して回動自在に取り付けられている。図１（ａ）〜（ｃ）は、回転体２０が、回動軸８３を軸として（ａ）→（ｃ）に回転している様子を示している。また，灯体３０は、図１（ｂ）、図２（ｂ）などに示すように、自己の外縁に回転体２０に対して回動可能に接続する接続部４０を有し、図２（ａ）に示すように回動により第２層である回転体２０に対して自己である灯体３０を第３層とする層状態を含め、接続部４０を回動軸８４として回動可能である。図２（ａ）〜（ｃ）は、灯体３０が回動軸８４を中心に（ａ）→（ｃ）に回転している様子を示している。図１（ａ）〜（ｃ）及び図２（ａ）〜（ｃ）に示すように、照明器具１０００は、本体１０が天井に対して固定された場合、回転体２０が回動軸８３を中心に回動可能であり、また、灯体３０が回動軸８４を中心に回動可能であることが特徴である。
【００１０】
図３〜図５は、照明器具１０００の灯体３０が回動軸８４を中心に回転する様子を説明する図である。図３〜図５において、（ａ）は上面図であり、（ｂ）は正面図であり、（ｃ）は右側面図であり、（ｄ）は底面図である。図３は、灯体３０が回転体２０に対して閉じており、本体１０、回転体２０、灯体３０が層状態（例えば図３（ｂ）、（ｃ））をなしている場合を示している。図４は、図４（ｃ）に示すように、灯体３０が回転体２０に対して４５度程度開いた状態を示している。図５は、図５（ｃ）に示すように、灯体３０が回転体２０に対して９０度程度開いた状態を示している。
【００１１】
図６は、本体１０，回転体２０，灯体３０の組み付け構造を示す図である。図６は、矢印Ｃ方向が室内側であり、矢印Ｄ方向が天井側を示す。前述のように、本体１０は、ダクト２００を介して天井に取り付けられる。回転体２０は、図６のように、本体１０の中央に設けられた軸穴１１に回動自在に支持される。灯体３０は、照射角度を広範囲に傾動できるように、回転体２０の端部に接続部４０により回動自在に接続される。灯体３０は、ＬＥＤ３１を備えている。この照明器具１０００により、高さを低く抑えるとともに、水平方向で略３６０度、垂直方向で下方垂直から水平まで光を照射することが可能となる。さらに詳しく説明する。
（１）本体１０は、外形が円筒形状である。本体１０は、円筒形状の上面（天井側の円筒の底面を上面とする）が天井に固定的に取り付けられる。本体１０は、円筒の直径に対して円筒の高さが小さい形状である。本体１０の下面（天井と反対方向の底面を下面とする）には回転体２０が回動自在に取り付けられる。
（２）回転体２０は、円形の板状体（円板）である。回転体２０の本体１０側の面である回転体上面、及び灯体３０側の面である回転体下面は、いずれも略円形である。回転体２０は、本体１０の下面（円形状）の中心を通る直線であってこの下面に垂直な直線が回動軸８３となるように、本体１０に取り付けられ、回転体上面は本体１０の下面と対向するように取り付けられる。本体１０と回転体２０とは、両者の底面はほぼ同じ大きさである。
（３）灯体３０の外形は、回転体２０と同様に円板形状である。回転体２０と灯体３０とは、両者の底面はほぼ同じ大きさである。灯体３０は、円板形状の縁の部分に接続部４０が形成され、この接続部４０により回転体下面の縁の部分において回動自在に回転体２０に接続される。図２（ｂ）に示すように、接続部４０の形成する回動軸８４は、回動軸８３に対して略直角方向である。この接続部４０により、図２に示したように、灯体３０は回転体２０に対して、回転体２０の回転体下面を覆う方向（回転体２０と灯体３０との開く角度が狭まる方向）と、その反対方向とに回転することが可能である。
これにより、回転体２０は回動軸８３を中心として水平方向で略３６０度回転することがで、また、灯体３０は回転体２０に対して、回動軸８４を中心として、垂直方向で下方垂直から水平（層状態の位置）まで光を照射可能である。
【００１２】
図７、図８は、本体１０の備える操作部付きプラグ６１を説明する図である。図７は照明器具１０００のみの図であり、図８は、照明器具１０００がダクト２００に取り付いた状態を示す図である。図７及び図８では（ａ）が上面図であり、（ｂ）が左側面図であり、（ｃ）が正面図であり、（ｄ）が右側面図であり、（ｅ）が底面図である。図７（ｂ）に示すように、本体１０は、天井面に配設されたダクト２００を収納するダクト収納溝７１が形成されている。また、本体１０は、図７（ａ）に示すように、ダクトに電気的機械的に接続する操作部付きプラグ６１を備えている。操作部付きプラグ６１は、操作部６２とプラグ６３とを有する。図７（ａ）、（ｃ）、（ｅ）に示すように、操作部６２は本体１０から突出している。作業者は、図７（ｄ）の矢印６４の方向に操作部６２を操作することで、プラグ６３をダクト２００に電気的機械的に接続することができる。図７（ｄ）の場合は、図の位置（操作部６２が右側位置）でプラグ６３をダクト２００に接続できるものとする。
【００１３】
図９は、複数のＬＥＤ３１を点灯させる第１点灯回路と第２点灯回路の配置を説明する図である。図９（ａ）は、本体照明器具１０００がダクト２００に取り付けられた場合の斜視図である。図９（ｂ）は、ダクト２００の長手方向に対して、その直角方向を切断した断面を示している。図９（ｃ）は、ダクト２００の長手方向に沿って切断した断面を示している。図９（ｂ）、（ｃ）に示すように、本体１０は、灯体３０の有するＬＥＤ３１を点灯させる第１点灯回路８１と第２点灯回路８２とを備える。そして、第１点灯回路８１と第２点灯回路８２とは、図９（ｂ）に示すように、ダクト収納溝７１がダクト２００を収納した場合に、ダクト２００の両側に位置するように配置されている。これにより重量バランスが良好となる。
【００１４】
実施の形態１の本体照明器具１０００は、本体１０の中央に設けられた軸穴に回動自在に支持された回転体２０と、回転体２０の略端部に照射角度を広範囲に傾動できるように設けられた回動軸を備えた灯体３０とを備えたので、照射方向を広範囲に変更することができる。また灯体３０の出量が小さいので、目立たず、意匠性にも優れる。特に、垂直方向を照射する場合、灯体とケースは略同一円筒に見え、灯体が目立たず、意匠性にも優れる。
【００１５】
実施の形態１の本体照明器具１０００は、本体１０が操作部付きプラグ６１を備えたので、天井への取り付けの容易性を向上することができる。
【００１６】
実施の形態２．
図１０〜図１２を参照して実施の形態２を説明する。実施の形態２は、照明器具１０００が天井埋め込み型の実施形態である。本体１０は、少なくとも一部が天井に埋め込まれることにより天井に取り付けられる。図１０を参照して説明する。実施の形態２の照明器具１０００は、天井に埋め込まれて取り付けられる。照明器具１０００は、取付用バネを備えている。図１０（ｂ）に天井の下面の位置を一点鎖線で示した。矢印Ｅ方向が室内側である。図１０〜図１２は、図３〜図５に対応する。すなわち、図１０〜図１２は、照明器具１０００の灯体３０が、回動軸８４を中心に回転する様子を説明する図である。図１０〜図１２において、（ａ）は上面図であり、（ｂ）は正面図であり、（ｃ）は右側面図であり、（ｄ）は底面図である。図１０は、灯体３０が回転体２０に対して閉じており、本体１０、回転体２０、灯体３０が層状態をなしている場合を示している。図１１は、図１１（ｃ）に示すように、灯体３０が回転体２０に対して４５度程度開いた状態を示している。図１２は、図２（ｃ）に示すように、灯体３０が回転体２０に対して９０度程度開いた状態を示している。
【００１７】
実施の形態２の照明器具１０００は、灯体を下方へ引き出すことなく、照射角度を広範囲に変更することができる。これにより、空間形状によって照射できなかった場所や、天井に近いディスプレイポイントへもベストの状態で照明を行うことができる。しかも、灯体３０を下方へ引き出す必要がないため、照射方向の調整が容易である。また灯体３０の出量が小さいので、目立たず、意匠性にも優れる。特に、垂直方向を照射する場合、出量は極めて小さくでき、灯体３０が目立たず、意匠性にも優れる。
【００１８】
実施の形態３．
図１３〜図１４を参照して実施の形態３を説明する。実施の形態３は、灯体３０の接続部４０が、第１回動軸と第２回動軸とを有する実施形態である。図１３は、接続部４０の第１回動軸と第２回動軸とを示す図である。図１３の場合、回転体２０は不要となっている。実施の形態１の場合、灯体３０は、図１３の第２回動軸のみを中心として回動しており、第１回動軸は存在しなかった。第１回動軸まわりの回転は、回転体２０が回動軸８３を中心として回転することで実現していた。図１４のａ，ｂ，ｃは、接続部４０が第１回動軸１と第２回動軸とを有することにより灯体３０が回転可能な方向を示している。このように、灯体３０は、自己の外縁に本体１０に対して回動可能に接続する接続部４０を有し、回動により本体１０を第１層として自己である灯体を第２層とする層状態を含め、接続部４０を回動軸として回動可能である。図１３において、第１回動軸と、第２回動軸とは略直交する灯体３０の回動可能な方向を示している。
【００１９】
実施の形態４．
図１５を参照して実施の形態４を説明する。実施の形態５は、照明器具１０００がモータ駆動による回転機構部を備え、モータ駆動により回転体２０、灯体３０の回動を行う実施形態である。
【００２０】
図１５に示すように、照明器具１０００は、回転体２０の回転と灯体３０との少なくともいずれかの回動を指示する回動指示信号を送信する送信機（図示していない）から回動指示信号を受信する回動指示信号受信部５１と、回動指示信号受信部５１が受信した回動指示信号に従って回転体２０あるいは灯体３０を回動させる回動機構部５２とを備えている。この機構により、ユーザは、送信機から回動指示信号を送信することで照明器具１０００の照射方向を容易に変えることができる。
【図面の簡単な説明】
【００２１】
【図１】実施の形態１における照明器具１０００の外観と動作概要を示す図。
【図２】実施の形態１における照明器具１０００の外観と動作概要を示す別の図。
【図３】実施の形態１における灯体３０の動きを説明する第１の図。
【図４】実施の形態１における灯体３０の動きを説明する第２の図。
【図５】実施の形態１における灯体３０の動きを説明する第３の図。
【図６】実施の形態１における照明器具１０００の構造を示す図。
【図７】実施の形態１における操作部付きプラグ６１を示す図。
【図８】実施の形態１における操作部付きプラグ６１を示す別の図。
【図９】実施の形態１における第１点灯回路８１と第２点灯回路８２の配置を示す図。
【図１０】実施の形態２における天井埋め込み型の照明器具１０００を示す第１の図。
【図１１】実施の形態２における天井埋め込み型の照明器具１０００を示す第２の図。
【図１２】実施の形態２における天井埋め込み型の照明器具１０００を示す第３の図。
【図１３】実施の形態３における照明器具１０００の構造を示す図。
【図１４】実施の形態３における灯体３０の回転方向を示す図。
【図１５】実施の形態４における照明器具１０００の機構を示す図。
【符号の説明】
【００２２】
１０  本体、２０  回転体、３０  灯体、３１  ＬＥＤ、４０  接続部、５１  回動指示信号受信部、５２  回動機構部、６１  操作部付きプラグ、６２  操作部、６３  プラグ、７１  ダクト収納溝、８１  第１点灯回路、８２  第２点灯回路、８３  回動軸、８４  回動軸、２００  ダクト、１０００  照明器具。
【図１】
2008218188.tif 000003
【図２】
2008218188.tif 000004
【図３】
2008218188.tif 000005
【図４】
2008218188.tif 000006
【図５】
2008218188.tif 000007
【図６】
2008218188.tif 000008
【図７】
2008218188.tif 000009
【図８】
2008218188.tif 000010
【図９】
2008218188.tif 000011
【図１０】
2008218188.tif 000012
【図１１】
2008218188.tif 000013
【図１２】
2008218188.tif 000014
【図１３】
2008218188.tif 000015
【図１４】
2008218188.tif 000016
【図１５】
2008218188.tif 000017